(57)【特許請求の範囲】
【請求項１】
第１および第２の光源を備え、前記第１の光源が装着された光源装着部は装置フレームに形成されているか、または、前記第１の光源が光源ホルダに装着されていると共に、前記光源ホルダが前記装置フレームに密着している光ピックアップ装置であって、
前記第２の光源を保持していると共に前記装置フレームに取り付けられている光源ホルダと、前記第１および第２の光源からの出射光を光記録媒体に導く共通光学系とを有し、
前記第１の光源の実使用状態での発熱量は前記第２の光源の実使用状態での発熱量よりも多く、
前記第２の光源が保持されている光源ホルダと前記装置フレームとの間には隙間が形成され、この隙間に、部分的に前記光源ホルダとも前記装置フレームとも異なる部材を介して、前記光源ホルダが前記装置フレームに固定されており、
前記隙間と前記部材により、少なくも前記第２の光源の、前記共通光学系に対する距離が調整可能な構造であることを特徴とする光ピックアップ装置。
【請求項２】
請求項１において、
前記隙間に介在する部材は接着剤であり、
当該接着剤により、前記光源ホルダと前記装置フレームが接着固定されていることを特徴とする光ピックアップ装置。
【請求項３】
請求項２において、
前記接着剤は、前記光源ホルダと前記装置フレームの相対向する空間内部に、その主要な体積が含まれていることを特徴とする光ピックアップ装置。
【請求項４】
請求項１ないし３のうちのいずれかの項において、
前記第１の光源は記録用光源であり、前記第２の光源は再生用光源であることを特徴とする光ピックアップ装置。
【請求項５】
請求項１ないし４のうちのいずれかの項において、
前記第１の光源はＣＤ−Ｒ／ＲＷ記録用のレーザー光源であり、前記第２の光源はＤＶＤ再生用のレーザー光源であることを特徴とする光ピックアップ装置。
【請求項６】
請求項２ないし５のうちのいずれかに記載の光ピックアップ装置の製造方法であって、
前記光源装着部に前記第１の光源が装着された状態で、前記第２の光源が前記共通光学系に対して前記第１の光源と共役な位置関係となるように、当該第２の光源が保持されている前記光源ホルダを位置決めし、前記光源ホルダと前記装置フレームの間に接着剤を充填して、当該光源ホルダを前記装置フレームに接着固定することを特徴とする光ピックアップ装置の製造方法。
【発明の詳細な説明】
【０００１】
【発明の属する技術分野】
本発明は、ＣＤ、ＤＶＤ等のような異なる光記録媒体の再生、あるいは記録再生を行うために、複数の光源と、これらの光源からの出射光を光記録媒体に導く共通光学系とを備えている光ピックアップ装置に関するものである。
【０００２】
【従来の技術】
光ピックアップ装置としては、ＤＶＤ、ＣＤ、ＣＤ−Ｒ、ＣＤ−Ｒ／ＲＷ（以下、総称してＣＤと記す。）の再生が可能な互換光学式情報再生装置等に組み込まれる複数光源型のものが知られている。例えば、本願人の一方は、厚さの異なるＤＶＤおよびＣＤを再生するために波長の異なるレーザー光を出射する２個のレーザーダイオードを備えた光ピックアップ装置を提案している。
【０００３】
このような２光源型の光ピックアップ装置は、例えばＣＤ用の７８０ｎｍのレーザー光を出射するレーザーダイオードと、ＤＶＤ用の６５０ｎｍのレーザー光を出射するレーザーダイオードを備え、光記録媒体からの戻り光を１つの共通の受光素子で受取って再生信号、トラッキングエラーおよびフォーカシングエラー補正用のサーボ信号を得るように構成されている。
【０００４】
ここで、２個のレーザーダイオードと１個の受光素子は、互いに光学的に共役関係となるように、次のように位置決めされる。まず、片方のレーザーダイオードを装置フレーム（ヘッドベース）に予め形成されている装着部に固定する。次に、受光素子をレーザーダイオードと共役な位置となるように、光軸方向、光軸に直交する平面方向の位置調整を行い、調整後に装置フレームに取付ける。しかる後に、他方のレーザーダイオードを、既に固定されているレーザーダイオードおよび受光素子と共役な位置となるように、ｘ、ｙ、ｚ方向の位置を調整し、装置フレームに接着固定する。
【０００５】
一般に、再生用の２光源型光ピックアップ装置では、ＤＶＤ再生用の光学系の方が、ＣＤ再生用光学系に比べて高い位置決め精度が要求されるので、ＤＶＤ再生用のレーザーダイオードを、装置フレームに形成されている装着部に固定する固定側レーザーダイオードとし、ＣＤ再生用のレーザーダイオードを、ｘ、ｙ、ｚ方向の位置調整をして装置フレームに接着固定する調整側レーザーダイオードとしている。
【０００６】
【発明が解決しようとする課題】
ここで、調整側レーザーダイオードは、装置フレームに比べると熱容量の小さなホルダによって保持され、ホルダを位置決め用治具によってチャッキングして調整側レーザーダイオードの位置調整を行い、調整後にホルダを装置フレームに接着固定している。
【０００７】
このように、調整側レーザーダイオードは、熱容量の小さなホルダに保持され、しかも、ホルダは放熱性の悪い接着剤によって装置フレーム側に固定されている。よって、装置フレームに形成した装着部に固定されている固定側レーザーダイオードに比べて、調整側レーザーダイオードの側の放熱性は悪い。
【０００８】
再生専用の光ピックアップ装置では、調整側レーザーダイオードの発熱量も小さいので、調整側レーザーダイオードの放熱性は特に問題にはならない。しかし、記録も行う光ピックアップ装置の場合、使用するレーザーダイオードは再生専用の場合に比べて高出力なものとされるので、発熱量も多くなり、実使用状態での自己発熱によってレーザーダイオードが許容温度以上に過熱されるおそれが出てくる。
【０００９】
しかしながら、従来においては、複数光源を備えた光ピックアップ装置において、上記のような各光源の発熱、およびそれに起因する弊害については考慮されておらず、従って、その対策についても提案されていないのが実状である。
【００１０】
そこで、本発明の課題は、各光源が過熱状態に陥ることのない複数光源を備えた光ピックアップ装置、およびその製造方法を提案することにある。
【００１１】
【課題を解決するための手段】
上記の課題を解決するために、本発明は、第１および第２の光源を備え、前記第１の光源が装着された光源装着部は装置フレームに形成されているか、または、前記第１の光源が光源ホルダに装着されていると共に、前記光源ホルダが前記装置フレームに密着している光ピックアップ装置であって、前記第２の光源を保持していると共に前記装置フレームに取り付けられている光源ホルダと、前記第１および第２の光源からの出射光を光記録媒体に導く共通光学系とを有し、前記第１の光源の実使用状態での発熱量は前記第２の光源の実使用状態での発熱量よりも多く、前記第２の光源が保持されている光源ホルダと前記装置フレームとの間には隙間が形成され、この隙間に、部分的に前記光源ホルダとも前記装置フレームとも異なる部材を介して、前記光源ホルダが前記装置フレームに固定されており、前記隙間と前記部材により、少なくも前記第２の光源の、前記共通光学系に対する距離が調整可能な構造であることを特徴としている。
【００１２】
本発明では、発熱量の大きな第１の光源を、熱容量が大きく放熱性に優れた装置フレーム側に取付け、発熱量の小さな第２の光源を光源ホルダの側に取り付けているので、各光源が過熱状態に陥ることを回避できる。
【００１３】
また、本発明では、前記第２の光源が保持されている光源ホルダと前記装置フレームの間に隙間を形成し、この隙間に部分的に充填された前記部材、好ましくは接着剤によって、前記光源ホルダを前記装置フレームに固定されている。よって、第２の光源が保持されている光源ホルダの固定位置の精度とその信頼性を改善することができる。
【００１４】
さらに、前記接着剤は、前記光源ホルダと前記装置フレームの相対向する空間内部に、その主要な体積が含まれるよに接着固定することが望ましい。
【００１５】
一般的には、前記第１の光源は出力が大きな記録用光源であり、前記第２の光源は出力の小さな再生用光源である。
【００１６】
一例としては、前記第１の光源はＣＤ−Ｒ／ＲＷ記録用のレーザー光源であり、前記第２の光源はＤＶＤ再生用のレーザー光源である。
【００１７】
次に、本発明は、光ピックアップ装置の製造方法に関するものであり、光ピックアップ装置は、第１および第２の光源を備え、前記第１の光源が装着された光源装着部は装置フレームに形成されているか、または、前記第１の光源が光源ホルダに装着されていると共に、前記光源ホルダが前記装置フレームに密着している装置であって、前記第２の光源を保持していると共に前記装置フレームに取り付けられている光源ホルダと、前記第１および第２の光源からの出射光を光記録媒体に導く共通光学系とを有し、前記第１の光源の実使用状態での発熱量は前記第２の光源の実使用状態での発熱量よりも多く、前記第２の光源が保持されている光源ホルダと前記装置フレームとの間には隙間が形成され、この隙間に、部分的に前記光源ホルダとも前記装置フレームとも異なる部材を介して、前記光源ホルダが前記装置フレームに固定されており、前記隙間と前記部材により、少なくも前記第２の光源の、前記共通光学系に対する距離が調整可能な構造である。
【００１８】
本発明の方法では、まず、前記光源装着部に前記第１の光源が装着された状態で、前記第２の光源が前記共通光学系に対して前記第１の光源と共役な位置関係となるように、当該第２の光源が保持されている前記光源ホルダを位置決めする。次に、前記光源ホルダと前記装置フレームの間に接着剤を部分的に充填して、当該光源ホルダを前記装置フレームに接着固定する。
【００１９】
本発明の方法では、光源ホルダが装置フレームに対して離間した状態、換言すると浮いた状態で位置決めするので、装置フレーム側面に沿って位置決めを行う場合に比べて、その位置決めを簡単、かつ精度良く行うことができる。
【００２０】
【発明の実施の形態】
以下に、図面を参照して、本発明を適用した光ピックアップ装置の一例を説明する。
【００２１】
図１は本例の光ピックアップ装置の側面構成図であり、図２および図３はその平面構成図である。これらの図を参照して説明すると、本例の光ピックアップ装置１は、ＣＤ−Ｒ／ＲＷ記録用レーザーダイオード２と、ＤＶＤ再生用レーザーダイーオード３とを備えた２光源型の記録・再生用光ピックアップ装置であり、その長方形をした装置フレーム（ヘッドベース）４の一方の側面側にはレーザーダイオード２の装着部５が形成されている。装置フレーム４の他方の側面には、筒状のホルダ６が接着剤７によって接着固定されており、このホルダ６には他方のレーザーダイオード３が装着されている。
【００２２】
これらのレーザーダイオード２、３からの出射レーザー光Ｌ２、Ｌ３を光記録媒体８の記録面に光スポットとして収束させるための対物レンズとして、ＣＤ用対物レンズ１２およびＤＶＤ用対物レンズ１３を備えており、これらを切り換えて使用するように構成されている。本例では、これらの対物レンズ１２、１３は、軸摺動回動型と呼ばれる対物レンズ駆動機構２０のレンズホルダ２１に搭載されている。
【００２３】
対物レンズ駆動機構２０は、このレンズホルダ２１と、これをフォーカシング方向およびトラッキング方向に移動可能に支持している摺動軸２２と、レンズホルダ２１をフォーカシング方向およびトラッキング方向に移動させるための磁気駆動回路（図示せず）を有した構成とされる。磁気駆動回路は、レンズホルダ２１と、これを取り囲んでいるカップ状のヨーク２３との間に構成される。この形式の対物レンズ駆動機構２０は公知であるので、これ以上の説明は本明細書では省略する。勿論、別の形式の対物レンズ駆動機構を使用することもできる。
【００２４】
本例では、レンズホルダ２１の上面に、９０度の角度間隔で２個の対物レンズ１２、１３が搭載されており、ＣＤ−Ｒ／ＲＷ記録時には、図２に示すようにＣＤ用対物レンズ１２をその使用位置に切り換え、ＤＶＤ再生時には、図２の状態からレンズホルダ２１を９０度回転することにより、図３に示すようにＤＶＤ用対物レンズ１３をその使用位置に切り換える。
【００２５】
また、各レーザーダイオード２、３から使用位置にある対物レンズ１２、１３に出射レーザー光を導くと共に、光記録媒体８で反射された戻り光を装置フレーム４の端面に取り付けられている光検出器３１に導くための共通光学系は次のように構成されている。すなわち、レーザーダイオード２からの出射レーザー光Ｌ２の一部を対物レンズ側に向けて反射するハーフミラー３２と、レーザーダイオード３からの出射レーザー光Ｌ３を対物レンズ側に向けて反射する反射面が形成されているプリズム３３と、レーザーダイオード２からハーフミラー３２およびプリズム３３を介して導かれたレーザー光およびレーザーダイオード３からプリズム３３を介して導かれたレーザー光を平行光にするコリメートレンズ３４と、平行光を使用位置にある対物レンズ１２あるいは１３に向けて立ち上げる立ち上げミラー３６と、光記録媒体８で反射されてコリメートレンズ３４、プリズム３３およびハーフミラー３２を介して得られる戻り光にエラー信号検出用の収差を付与するためのセンサーレンズ３７を有している。
【００２６】
なお、装置フレーム４は一般にアルミダイカストであり、そこには、当該光ピックアップ装置１が搭載される記録再生装置側に配置されている一対のガイドシャフト４１、４２に沿って、当該光ピックアップ装置１を摺動させるためのガイド孔４３およびガイド溝４４が形成されている。
【００２７】
ここで、ＤＶＤ用のレーザーダイオード３が保持されているホルダ６は、装置フレーム側面４５に一定の隙間４６を開けて対峙している環状端面６１を備えており、装置フレーム側面４５と環状端面６１に間に部分的に接着剤７が充填されて、ホルダ６が装置フレーム側面４５に接着固定されている。従って、接着剤充填部分以外は、隙間４６がそのまま残っている。
【００２８】
ホルダ６は、装置フレーム４に対して少なくともＺ方向（レーザダイオード３の光軸方向）に調整して接着されるが、隙間４６は、ホルダ６のＺ方向の調整が可能である範囲で最小の値としている。具体的には、ホルダ６のＺ軸方向の位置の必要調整量は±０．３ｍｍ程度であるので、隙間４６は０．３ｍｍ±０．３ｍｍとしている。
【００２９】
さらには、隙間４６に充填する接着剤７は、ホルダ６と装置フレーム４の対向する空間内にそのほとんどの体積が入るように塗布されている。これにより、接着剤７のＺ方向の厚みは０．３ｍｍ程度の小さな値であり、かつ、塗布場所によるばらつきがほとんどない状態にできる。
【００３０】
一般的に、接着剤は、硬化収縮や温度による体積変化、吸湿による体積変化などが金属材料やエンジニアリングプラスチック材料より大きく、接着剤の厚みのばらつきなどは、被接着物の位置ずれの原因になる。しかし、本発明のような接着構造においては、そうした位置ずれを小さく抑えることができる。従って、このような接着をすることで、ＤＶＤ用のレーザダイオード３に要求される高い位置決め精度を実現することができる。
【００３１】
この構成の光ピックアップ装置１における各レーザーダイオード２、３の取付け手順を説明する。まず、共通光学系を構成している各光学素子を装置フレーム４に取付けると共に、ＣＤ用レーザーダイオード２を装置フレーム装着部５に装着して接着固定する。次に、光検出器３１をレーザーダイオード２と共役な位置となるように、三次元的（ｘ、ｙ、ｚ方向）に位置調整を行い、装置フレーム端面に接着固定する。
【００３２】
しかる後に、他方のレーザーダイオード３を、既に固定されているレーザーダイオード２および光検出器３１と共役な位置となるように、ｘ、ｙ、ｚ方向に位置決めして、装置フレーム側面に接着固定する。すなわち、このレーザーダイオード３が保持されているホルダ６を位置決め用治具（図示せず）でチャッキングし、この状態で、ホルダ６の環状端面６１を装置フレーム側面４５から浮かせ、その状態で３方向の位置決めを行う。位置決め後には、環状端面６１と装置フレーム側面４５の隙間４６に部分的に接着剤７を充填して、ホルダ６を装置フレーム側面４５に接着固定する。
【００３３】
このように構成した本例の光ピックアップ装置では、記録を行うために高出力であるＣＤ用レーザーダイオード２が装置フレームに直接に装着される固定側レーザーダイオードとされ、再生専用であり出力の小さなＤＶＤ用レーザーダイオード３が調整側レーザーダイオードとされている。装置フレーム４の熱容量は大きいので、高出力で発熱量の大きなＣＤ用レーザーダイオードが実使用時において過熱状態に陥ることを回避できる。
【００３４】
また、ＤＶＤ用レーザーダイオード３はホルダ６に保持され、このホルダ６は隙間４６のある状態、すなわち浮いた状態で装置フレーム側面４６に接着固定されているので、当該レーザーダイオード３の位置決めを、装置フレームに直付けする場合に比べて、簡単かつ精度良く行うことができる。特に、本例では、隙間４６が出射レーザー光Ｌ３の光軸方向に形成されているので、光軸方向（ｚ方向）の位置決めを簡単に行うことができる。
【００３５】
また、ＤＶＤ用レーザーダイオード３は再生専用であるので、その実使用状態の自己発熱によって過熱状態に陥いることはない。
【００３６】
（その他の実施の形態）
上記の例は２光源型の光ピックアップであるが、３光源以上を備えた複数光源型の光ピックアップ装置に対しても本発明を適用できる。
【００３７】
また、上記の例は光検出器を各光源に共通のものとしてあるが、各光源毎に光検出器を備えた構成の光ピックアップ装置に対しても本発明を適用できる。
【００３８】
さらには、上記の例では光記録媒体に応じて２個の対物レンズを備え、これらを切り換えて使用する形式のものであるが、単一の対物レンズを用いた光ピックアップ装置に対しても本発明を適用できる。
【００３９】
【発明の効果】
以上説明したように、本発明の光ピックアップ装置では、記録用光源等と使用される発熱量の大きな光源を熱容量の大きな装置フレーム側に取り付けた固定側光源とし、再生用光源等として使用される発熱量の小さな光源を装置フレームに対して外付けされる調整側光源としてある。従って、光源が過熱状態に陥ることを確実に回避できる。
【００４０】
また、本発明では、調整側光源を保持しているホルダを、装置フレーム側面に対して離れた状態で位置決めし、隙間に接着剤を部分的に充填してホルダを装置フレーム側に固定しているので、ホルダに保持されている調整側光源の位置決めを簡単に、しかも精度良く行うことができる。
【００４１】
さらに、接着剤をホルダと装置フレームの隙間に充填するので、接着剤の厚さが均一となり、温度変化、吸湿変化、硬化収縮等による接着剤の体積変化があっても、ホルダの位置ずれを小さく抑えることができ、ホルダを高精度に位置決めでき、高い信頼性を実現することができる。
【図面の簡単な説明】
【図１】本発明を適用した光ピックアップ装置の断面構成図である。
【図２】図１の光ピックアップ装置において、CD用レーザーダイオード使用時の状態を示す平面構成図である。
【図３】図１の光ピックアップ装置において、ＤＶＤ用レーザーダイオード使用時の状態を示す平面構成図である。
【符号の説明】
１    光ピックアップ装置
２    ＣＤ用レーザーダイオード
３    ＤＶＤ用レーザーダイオード
４    装置フレーム
５    装着部
６    ホルダ
６１  環状端面
７    接着剤
８    光記録媒体
１２  ＣＤ用対物レンズ
１３  ＤＶＤ用対物レンズ
２０  対物レンズ駆動機構
３１  光検出器（受光素子）
４５  装置フレーム側面
４６  隙間
【図１】
0003792462.tif 000002
【図２】
0003792462.tif 000003
【図３】
0003792462.tif 000004